(57)【特許請求の範囲】
【請求項１】
フィードバックの両義に基づき、ダウンリンク関連パラメータを調整する方法であって、当該方法は、
基地局がユーザ装置ＵＥから報告された正しい応答ＡＣＫ／間違い応答ＮＡＣＫとチャネル品質指示情報ＣＱＩによりフィードバックの両義判定を行い、フィードバック両義の可能性があるか否かを確定することと、
フィードバック両義の可能性がある場合、基地局がフィードバック方式、フィードバック情報、ダウンリンクにより受信した物理ダウンリンク共有チャネルＰＤＳＣＨサブフレーム数、及びコードワード数に対応する両義の確率により、フィードバックの両義を統計的に処理し、フィードバック両義のリスクが存在するか否かを確定することと、
フィードバック両義のリスクが存在する場合、基地局がＵＥのＰＤＳＣＨシングルサブフレーム又はシングルコードワードをスケジューリングすることでフィードバックの両義を探索し、フィードバックの両義があるサブフレーム又はコードワードを確定すること、及び
基地局はフィードバックの両義に対する探索結果により、ダウンリンク関連パラメータを調整することを含み、
前記フィードバックの両義は、
複数のダウンリンクサブフレームのＡＣＫ／ＮＡＣＫに対して論理ＡＮＤをしてから、ＮＡＣＫが得られたため、複数のダウンリンクサブフレームが全て基地局にＮＡＣＫとされるようになる時間領域の両義と、
ダウンリンクサブフレームの複数のコードワードのＡＣＫ／ＮＡＣＫに対して論理ＡＮＤをしてから、ＮＡＣＫが得られたため、前記複数のコードワードの全てが基地局にＮＡＣＫとされるようになる空間領域の両義と、を含む方法。
【請求項２】
前記フィードバックの両義を判定するステップは、
基地局が、ＵＥから報告されたＡＣＫ／ＮＡＣＫにより、ブロック誤り率の統計ＢＬＥＲｓｔａｔｉｓｔｉｃｓを得ることと、
基地局が、ＵＥから報告されたＣＱＩにより、前記ＣＱＩに対応する変調符号化方式ＭＣＳＣＱＩ＿Ｍａｐｐｉｎｇを得ることと、
前記ＢＬＥＲｓｔａｔｉｓｔｉｃｓが所定比率のターゲットブロック誤り率ＢＬＥＲＴａｒｇｅｔ以上であり、且つ前記ＭＣＳＣＱＩ＿Ｍａｐｐｉｎｇがダウンリンク認可変調符号化方式ＭＣＳＤＬ＿Ａｓｓｉｇｎｍｅｎｔと所定の偏差閾値との合計以上である場合、基地局がフィードバック両義の可能性があると確定することと、を含む請求項１に記載の方法。
【請求項３】
前記フィードバックの両義を統計的に処理するステップは、
基地局がフィードバック方式とフィードバックチャネルにより、対応する両義の確率テーブルを得ることと、
前記両義の確率テーブルと前記ダウンリンクにより受信したＰＤＳＣＨサブフレーム数及びコードワード数により、現在時刻の時間領域の両義確率統計の瞬時値及び／又は空間領域の両義確率統計の瞬時値を得ることと、
前記時間領域の両義確率統計の瞬時値及び／又は空間領域の両義確率統計の瞬時値により、現在時刻の時間領域の両義確率統計の平滑値及び／又は前記空間領域の両義確率統計の平滑値を得ることと、
前記時間領域の両義確率統計の平滑値が、時間領域の両義リスク閾値以上である場合、及び／又は前記空間領域の両義確率統計の平滑値が、空間領域の両義リスク閾値以上である場合、基地局がフィードバックの両義リスクが存在すると確定することと、を含む請求項２に記載の方法。
【請求項４】
前記フィードバックの両義を探索するステップは、
基地局が、ＵＥのフィードバック方式をバンディング方式に設定し、ＰＤＳＣＨのサブフレームのそれぞれに対してトラバーサルのスケジューリングをして、各サブフレームと各コードワードのＡＣＫ／ＮＡＣＫを得ることと、
各サブフレームと各コードワードのＡＣＫ／ＮＡＣＫにより、時間領域の両義を起こすサブフレーム、及び／又は空間領域の両義を起こすコードワードを確定することと、を含む請求項３に記載の方法。
【請求項５】
前記ダウンリンク関連パラメータを調整するステップは、
基地局は、前記フィードバックの両義が空間領域の両義であると確定する場合、フィードバック方式を、バンディング方式に設定することを含む調整処理を含む請求項４に記載の方法。
【請求項６】
前記ダウンリンク関連パラメータを調整するステップは、
基地局は、前記フィードバックの両義が時間領域と空間領域の両義であると確定する場合、フィードバック方式をバンディング方式又は多重化方式に設定することを含む調整処理をし、前記設定したフィードバック方式により、ダウンリンクアダプティブ変調符号化ＡＭＣ及び／又はダウンリンクハイブリッド自動再送要求ＨＡＲＱ及び／又はＰＤＳＣＨの伝送モード切り替えＴＭ  Ｓｗｉｔｃｈ及び／又はダウンリンク各ＰＤＳＣＨサブフレームのターゲットＢＬＥＲを調整することを含む請求項４に記載の方法。
【請求項７】
前記フィードバックの両義を探索するステップは、
基地局が、ＵＥのフィードバック方式を多重化方式に設定し、サブフレームのスケジューリングをして、それぞれのサブフレームに対してシングルコードワードのスケジューリングをして、それぞれのサブフレームのＡＣＫ／ＮＡＣＫを得ることと、
それぞれのサブフレームのＡＣＫ／ＮＡＣＫにより、時間領域の両義を起こすサブフレームを確定することと、を含む請求項３に記載の方法。
【請求項８】
ＵＥにＰＵＳＣＨリソースがある場合、基地局のスケジューリングサブフレーム数が４以下で、そうでない場合、基地局のスケジューリングサブフレーム数が２以下である請求項７に記載の方法。
【請求項９】
前記ダウンリンク関連パラメータを調整するステップは、
基地局が前記フィードバックの両義は時間領域の両義であると判定する場合、フィードバック方式を多重化方式に設定することを含む調整処理を含む請求項４又は７又は８に記載の方法。
【請求項１０】
フィードバックの両義に基づき、ダウンリンク関連パラメータを調整する装置であって、基地局にある当該装置は、
ユーザ装置ＵＥから報告した正しい応答ＡＣＫ／間違い応答ＮＡＣＫ、及びチャネル品質指示情報ＣＱＩにより、フィードバックの両義を判定し、フィードバック両義の可能性があるか否かを確定する判定モジュールと、
前記判定モジュールによりフィードバック両義の可能性があると確定される場合、フィードバック方式、フィードバックチャネル、ダウンリンクにより受信した物理ダウンリンク共有チャネルＰＤＳＣＨサブフレーム数とコードワード数に対応する両義確率により、フィードバックの両義を統計的に処理し、フィードバック両義のリスクがあるか否かを確定する統計モジュールと、
前記統計モジュールによりフィードバック両義のリスクがあると確定される場合、ＵＥのＰＤＳＣＨシングルサブフレーム又はシングルコードワードのスケジューリングによりフィードバックの両義を探索し、フィードバックの両義が生じられたサブフレーム又はコードワードを確定する確定モジュール、及び
フィードバック両義の探索結果により、ダウンリンク関連パラメータを調整する調整モジュールと、を備え、
前記フィードバックの両義は、
複数のダウンリンクサブフレームのＡＣＫ／ＮＡＣＫに対して論理ＡＮＤをしてから、ＮＡＣＫが得られたため、複数のダウンリンクサブフレームがすべて基地局にＮＡＣＫとされるようになる時間領域の両義と、
ダウンリンクサブフレームの複数のコードワードのＡＣＫ／ＮＡＣＫに対して論理ＡＮＤをしてから、ＮＡＣＫが得られたため、前記複数のコードワードの全てが基地局にＮＡＣＫとされるようになる空間領域の両義と、を含む装置。
【請求項１１】
前記調整モジュールは、さらに、
前記フィードバックの両義は空間領域の両義であると確定する場合、フィードバック方式をバンディング方式に設定することを含む調整処理をするバンディング調整モジュール、及び／又は、
前記フィードバックの両義は時間領域の両義であると確定する場合、フィードバック方式を多重化方式に設定することを含む調整処理をする多重化調整モジュールと、を備える請求項１０に記載の装置。
【発明の詳細な説明】
【技術分野】
【０００１】
本発明は通信分野、特にフィードバックの両義(ambiguity)に基づきダウンリンク関連パラメータを調整する方法及び装置に関するものである。
【背景技術】
【０００２】
ＬＴＥ（Ｌｏｎｇ  Ｔｅｒｍ  Ｅｖｏｌｕｔｉｏｎ、長期間進化）ＴＤＤ（Ｔｉｍｅ  Ｄｉｖｉｓｉｏｎ  Ｄｕｐｌｅｘｉｎｇ、時間分割複信）はＬＴＥの一つの部分として、そのフレーム構造（タイプ２）は図１に示すように、それぞれの１０ｍｓの無線フレーム毎に２つの長さ５ｍｓのハーフフレームが含まれ、それぞれのハーフフレームに４つのデータサブフレームと、ダウンリンクパイロットスロットＤｗＰＴＳ、保護スロットＧＰ、及びアップリンクパイロットスロットＵｐＰＴＳという３つの特別スロットを含む１つの特別サブフレームからなる。前記無線フレームは多種類のアップリンク／ダウンリンク比をサポートするため、図２と図３に示すように、「非対照なアップリンク／ダウンリンクデータサービス」の移動ネットワークに適している。例えばダウンリンクサービストラフィックがアップリンクサービストラフィックよりも高いビジネス用サービスモデルに対して、ＬＴＥ  ＴＤＤのアップリンク／ダウンリンク比を１又は２に、即ち、ＵＬ：ＤＬ＝２：２、又は１：３になるように配置することができる。これも現在グローバルＬＴＥ  ＴＤＤネットワークの代表的な配置である。特別サブフレームは通常７に、即ちＤＬ：ＧＡＰ：ＵＬ＝１０：２：２になるように配置されるため、特別サブフレームも効率的にダウンリンクデータを伝送することができる。よって、上記配置に基づき、ＵＬ：ＤＬ＝２：３と１：４としてもよい。
【０００３】
ＬＴＥ  ＴＤＤは、アップリンク／ダウンリンクの非対称的な配置のため、ＵＥ（Ｕｓｅｒ  Ｅｑｕｉｐｍｅｎｔ、ユーザ装置）が少量なアップリンクサブフレームのＰＵＣＣＨ（Ｐｈｙｓｉｃａｌ  Ｕｐｌｉｎｋ  Ｃｏｎｔｒｏｌ  Ｃｈａｎｎｅｌ、物理アップリンク制御チャネル）またはＰＵＳＣＨ（Ｐｈｙｓｉｃａｌ  Ｕｐｌｉｎｋ  Ｓｈａｒｅｄ  Ｃｈａｎｎｅｌ、物理ダウンリンク共有チャネル）により、多くのダウンリンクサブフレームのＰＤＳＣＨ（Ｐｈｙｓｉｃａｌ  Ｄｏｗｎｌｉｎｋ  Ｓｈａｒｅｄ  Ｃｈａｎｎｅｌ）の復調結果ＡＣＫ（Ａｃｋｎｏｗｌｅｇｅｍｅｎｔ  正しい応答）／ＮＡＣＫ（Ｎｅｇａｔｉｖｅ−Ａｃｋｎｏｗｌｅｇｅｍｅｎｔ、間違い応答）をフィードバックすることがある。図４（標準プロトコルＴＳ３６２１３を参照）に示すように、Ｍはダウンリンクサブフレームの数で、Ｋはアップリンクサブフレームが前の何番目のサブフレームのＡＣＫ／ＮＡＣＫをフィードバックするかを指す。アップリンク／ダウンリンク比が２に配置される場合、１つのアップリンクサブフレームで最大４つのダウンリンクサブフレームのＰＤＳＣＨ復調結果をフィードバックすることなり、アップリンク／ダウンリンク比が４に配置される場合もそうである。ただし、アップリンク／ダウンリンク比が５に配置される場合、１つのアップリンクサブフレームで最大９つのダウンリンクサブフレームのＰＤＳＣＨ復調結果をフィードバックすることになる。アップリンク／ダウンリンク比が４に配置される場合を例として、アップリンクサブフレームは、前の１２、８、７、１１番目のダウンリンクサブフレームのＡＣＫ／ＮＡＣＫをフィードバックするサブフレーム２と、前の６、５、４、７番目のサブフレームのＡＣＫ／ＮＡＣＫをフィードバックするサブフレーム３という２つのサブフレームがある。
【０００４】
ＵＥがスケジュールされてＰＵＳＣＨリソースを割当てられた場合、ＵＥがＰＵＳＣＨにてＡＣＫ／ＮＡＣＫをフィードバックしなければならない。この場合、ＡＣＫ／ＮＡＣＫは、ＣＱＩ（Ｃｈａｎｎｅｌ  Ｑｕａｌｉｔｙ  Ｉｎｄｉｃａｔｏｒ、チャネル品質指示）、ＰＭＩ（Ｐｒｅｃｏｄｉｎｇ  Ｍａｔｒｉｘ  Ｉｎｄｉｃａｔｏｒ、プリコーディング行列指示）、ＲＩ（Ｒａｎｋ  Ｉｎｄｉｃａｔｏｒ、ランク指示）、及びデータとともにＰＵＳＣＨに多重されて、伝送される。
【０００５】
標準プロトコルＴＳ３６２１２、ＴＳ３６２１３には、ＬＴＥ  ＴＤＤ  ＰＤＳＣＨのＡＣＫ／ＮＡＣＫに対して、Ｂｕｎｄｉｎｇ（バンディング）とＭｕｌｔｉｐｌｅｘｉｎｇ（多重）との２種類のフィードバック方式が提示されている。図５に示すように、前記Ｂｕｎｄｉｎｇとは、ＵＥが受信したＰＤＳＣＨのコードワードごとの各サブフレームのＡＣＫ／ＮＡＣＫに対して論理「ＡＮＤ」操作をしてから、ＰＵＣＣＨまたはＰＵＳＣＨを介し、ｅＮＢにフィードバックすることである。ＰＵＣＣＨによるフィードバック、及びＰＵＳＣＨによるフィードバックのいずれでも、シングルコードワードである場合は、１ｂｉｔでフィードバックし、ダブルコードワードである場合は、２ｂｉｔでフィードバックするというように、それぞれのコードワードのＡＣＫ／ＮＡＣＫの「ＡＮＤ」結果は１つのｂｉｔでフィードバックする。アップリンク／ダウンリンク比が５に、即ち、ＵＬ：ＤＬ＝１：９になるように配置される場合、プロトコルの規定によると、Ｂｕｎｄｉｎｇしか採用できない。図６に示すように、前記Ｍｕｌｔｉｐｌｅｘｉｎｇとは、ＵＥが受信したＰＤＳＣＨのサブフレームごとの各コードワードのＡＣＫ／ＮＡＣＫに対して論理「ＡＮＤ」操作をしてから、ＰＵＣＣＨまたはＰＵＳＣＨを介しeＮＢにフィードバックすることである。ＰＵＳＣＨでフィードバックする場合は、ＵＥが受信したダウンリンクサブフレーム数（最大は４つ）に応じて、１〜４ｂｉｔをフィードバックする。ＰＵＣＣＨでフィードバックする場合は、ＵＥが受信したサブフレーム数が１、２、３それとも４に関わらず、すべて２ｂｉｔでフィードバックする。図７、図８、図９のマッピング関係を参照すること（標準プロトコルＴＳ３６２１３を参照）。
【０００６】
Ｍｕｌｔｉｐｌｅｘｉｎｇを採用し、且つＭ＝１（標準プロトコルＴＳ３６２１３を参照）である場合、即ち、ＵＥが１つのアップリンクサブフレームで１つのダウンリンクサブフレームのＡＣＫ／ＮＡＣＫをフィードバックする場合、ＵＥが受信したのはダブルコードワードであり、且つＰＵＣＣＨでフィードバックする時、２ｂｉｔでフィードバックする、即ち、ダブルコードワードのＡＣＫ／ＮＡＣＫをそれぞれ１ｂｉｔでフィードバックして、論理「ＡＮＤ」をしない。これは例外なものであるが、図４から分かるように、アップリンク／ダウンリンク比０、アップリンク／ダウンリンク比６、アップリンク／ダウンリンク比１におけるアップリンクサブフレーム３とサブフレーム８にしかこのような例外が存在しない。
【０００７】
ＢｕｎｄｉｎｇとＭｕｌｔｉｐｌｅｘｉｎｇのいずれでも、ＰＵＳＣＨのＡＣＫ／ＮＡＣＫがＰＵＣＣＨまたはＰＵＳＣＨを介してフィードバックする場合、フィードバックｂｉｔ数の制限があるため、フィードバックにおける両義をもたらすことがある。例えば、Ｂｕｎｄｉｎｇの場合、複数のダウンリンクサブフレームの中の１つがＮＡＣＫであると、ＮＡＣＫとしてフィードバックすることになるので、すべてのダウンリンクサブフレームがeＮＢにＮＡＣＫとされ、再送されざるを得なくなる。例えば、４つのダウンリンクサブフレームの場合、両義のサブフレーム数が３で、即ち、最大３つのダウンリンクサブフレームのＡＣＫがＮＡＣＫに間違えられる。同じように、Ｍｕｌｔｉｐｌｅｘｉｎｇにおいて、ＰＵＣＣＨによるフィードバックで、且つダブルコードワードである場合、ダウンリンクサブフレームの中の１つのコードワードがＮＡＣＫであると、このサブフレームのフィードバックがＮＡＣＫになり、２つのコードワードのいずれもeＮＢにＮＡＣＫとされ、２つのコードワードがすべて再送されることになる。例えば、２つのコードワードの場合、両義のコードワード数は１であり、即ち、最大１つのＡＣＫがＮＡＣＫに間違えられる。Ｍｕｌｔｉｐｌｅｘｉｎｇにおいて、ＰＵＣＣＨによるフィードバックの場合、両義のコードワードの他に、Ｍ＝４（図４のアップリンク／ダウンリンク比が２と４である場合を参照）、且つＵＥが受信したダウンリンクサブフレームが２つを超えた場合、図９におけるマッピング関係により生じられた図１０と図１１に示すような両義サブフレームが現れる。その中に、図１０は、図９によりＭ＝４と得られた場合に３つのサブフレームの時間領域の両義を受信し、フィードバックする（両義サブフレーム数Ｌ＝１）もので、図１１は、図９によりＭ＝４と得られた場合に、４つのサブフレームの時間領域の両義を受信しフィードバックするものである（両義サブフレーム数Ｌ＝２）。図７と図８のマッピング関係において、両義サブフレームが生じられない。
【０００８】
従来、２種類のフィードバック方式の適用場面に対する研究結果は主に２種類あるが、いずれも不足が存在する。
【０００９】
研究結果の一つとして、セルの中心に位置し、チャネル条件がよいＵＥにＭｕｌｔｉｐｌｅｘｉｎｇを配置し、セルのエッジに位置し、チャネル条件が悪いＵＥにＢｕｎｄｉｎｇを配置することが推奨されている。これは現在流行っているストラテジーであるが、当該ストラテジーは、ＡＣＫ／ＮＡＣＫをフィードバックするＰＵＣＣＨまたはＰＵＳＣＨ自身のリンク性能しか考慮しない、即ち、セルエッジにおいてＰＵＣＣＨまたはＰＵＳＣＨが制限されやすく、あまり多くのｂｉｔを積載することができないため、フィードバックリソースを節約できるＢｕｎｄｉｎｇを採用するとしているが、セル中心とセルエッジにおけるＰＵＳＣＨのチャネル特性とリンク性能の差異が考えられていない。例えば、セル中心において、チャネル環境が良いので、各ダウンリンクサブフレームの差が大きくなく、且つダブルコードワードの確率が大きいため、Ｂｕｎｄｉｎｇを採用すれば十分であるが、セルエッジにおいて、チャネル環境がよくなく、各ダウンリンクサブフレームの差が却って大きいため、Ｂｕｎｄｉｎｇを採用すると、時間領域両義の確率が増加し、無効再送の確率が大きくなり、且つセルエッジはほとんどシングルコードワードであるため、Ｍｕｌｔｉｐｌｅｘｉｎｇを採用するほうがよく、Ｂｕｎｄｉｎｇを採用する必要がない。
【００１０】
もう一つの研究結果として、閉ループＭＩＭＯ（Ｃｌｏｓｅｄ−ｌｏｏｐ  Ｍｕｌｔｉｐｌｅ  Ｉｎｐｕｔ  Ｍｕｌｔｉｐｌｅ  Ｏｕｔｐｕｔ、即ちＰＤＳＣＨのＴＭ４、伝送モード４）、ＰＤＳＣＨの各サブフレームのチャネル条件が一致で、ターゲットＢＬＥＲが同様である場合、シミュレーションＢｕｎｄｉｎｇとＭｕｌｔｉｐｌｅｘｉｎｇが異なるＳＮＲ（Ｓｉｇｎａｌ  Ｎｏｉｓｅ  Ｒａｔｉｏ、信号対雑音比）、異なる移動速度、異なるターゲットＢＬＥＲにおける性能に基づくものである。シミュレーション結果により、２種類のフィードバック方式の性能の差が非常に小さいと示されているため、Ｂｕｎｄｉｎｇのみで、ほとんどの場面に対応できるとされている。しかし、シミュレーション条件の制限、及び前記シミュレーションはＰＤＳＣＨ自身しか考慮しなく、ＰＵＣＣＨとＰＵＳＣＨを考慮していないことにより、このようなシミュレーションはリンク向けに過ぎず、システム向けではない。実際には、ネットワークのビジネス化が絶えず成長し、負荷が増加する一方という実情において、ＰＤＳＣＨの各サブフレームの干渉は千差万別になっている。例えば、これからビジネス用ネットワークがＩＣＩＣ（Ｉｎｔｅｒ−Ｃｅｌｌ  Ｉｎｔｅｒｆｅｒｅｎｃｅ  Ｃｏｏｒｄｉｎａｔｉｏｎ、セル間干渉コーディネーション）に基づいた同周波数ネットワーク構築技術を広く採用するようになり、このようなネットワーク構築方式において、ネットワーク干渉はセル中心とエッジにて、多様化が示され、セルによっても異なってくる。また、アップリンクチャネルの環境が制限され、ダウンリンクチャネルが衰弱し、ＵＥが高速で移動するなどの場面では、開ループＭＩＭＯ（Ｏｐｅｎ−ｌｏｏｐ  Ｍｕｌｔｉｐｌｅ  Ｉｎｐｕｔ  Ｍｕｌｔｉｐｌｅ  Ｏｕｔｐｕｔ、即ちＰＤＳＣＨのＴＭ３、伝送モード３）も大きな適用率が占めるようになる。従って、実際のビジネス化ネットワークにおいて、ＢｕｎｄｉｎｇとＭｕｌｔｉｐｌｅｘｉｎｇとは、その優劣が言いがたいものである。また、これはＭＩＭＯ、アップリンク／ダウンリンク比とも関係し、さらに将来四コードワードの応用も可能であるなどにより、より多くの理論、シミュレーション、及びテストをする必要がある。
【発明の概要】
【発明が解決しようとする課題】
【００１１】
本発明は、フィードバックの両義に基づき、ダウンリンク関連パラメータを調整する技術を提供し、当該技術によると、判定、統計、探索によりフィードバックの両義を確定し、ＰＤＳＣＨ  ＡＣＫ／ＮＡＣＫのフィードバックの両義によるＰＤＳＣＨ性能の低下を解決することができる。
【課題を解決するための手段】
【００１２】
本発明の一方面によると、フィードバックの両義に基づき、ダウンリンク関連パラメータを調整する方法を提供する。具体的には、
基地局がＵＥから報告されたＡＣＫ／ＮＡＣＫとチャネル品質指示情報ＣＱＩによりフィードバックの両義判定を行い、フィードバック両義の可能性があるか否かを確定することと、
フィードバック両義の可能性がある場合、基地局がフィードバック方式、フィードバック情報、ダウンリンクにより受信した物理ダウンリンク共有チャネルＰＤＳＣＨサブフレーム数、及びコードワード数に対応する両義の確率により、フィードバックの両義を統計し、フィードバックの両義リスクが存在するか否かを確定することと、
フィードバック両義のリスクが存在する場合、基地局がＵＥのＰＤＳＣＨシングルサブフレームまたはシングルコードワードをスケジューリングすることでフィードバックの両義を探索し、フィードバックの両義があるサブフレームまたはコードワードを確定すること、及び
基地局はフィードバックの両義に対する探索する結果により、ダウンリンク関連パラメータを調整することを含む。
【００１３】
前記フィードバックの両義には、
複数のダウンリンクサブフレームのＡＣＫ／ＮＡＣＫに対して論理ＡＮＤをしてから、ＮＡＣＫが得られたため、複数のダウンリンクサブフレームがすべて基地局にＮＡＣＫとされるようになる時間領域の両義と、
ダウンリンクサブフレームの複数のコードワードのＡＣＫ／ＮＡＣＫに対して論理ＡＮＤをしてから、ＮＡＣＫが得られたため、前記複数のコードワードの全てが基地局にＮＡＣＫとされるようになる空間領域の両義と、があることが好ましい。
【００１４】
前記フィードバックの両義を判定するステップは、
基地局がＵＥから報告されたＡＣＫ／ＮＡＣＫにより、ブロック誤り率の統計ＢＬＥＲｓｔａｔｉｓｔｉｃｓを得ることと、
基地局がＵＥから報告されたＣＱＩにより、前記ＣＱＩに対応する変調符号化方式ＭＣＳＣＱＩ＿Ｍａｐｐｉｎｇを得ることと、
前記ＢＬＥＲｓｔａｔｉｓｔｉｃｓが所定比率のターゲットブロック誤り率ＢＬＥＲＴａｒｇｅｔ以上であり、且つ前記ＭＣＳＣＱＩ＿Ｍａｐｐｉｎｇがダウンリンク認可変調符号化方式ＭＣＳＤＬ＿Ａｓｓｉｇｎｍｅｎｔと所定の偏差閾値との合計以上である場合、基地局がフィードバック両義の可能性があると確定することと、を含むことが好ましい。
【００１５】
前記フィードバック両義を統計するステップは、
基地局がフィードバック方式とフィードバックチャネルにより、対応する両義の確率テーブルを得ることと、
前記両義の確率テーブルと前記ダウンリンクにより受信したＰＤＳＣＨサブフレーム数及びコードワード数により、現在時刻の時間領域の両義確率統計の瞬時値及び／又は空間領域の両義確率統計の瞬時値を得ることと、
前記時間領域の両義確率統計の瞬時値及び又は空間領域の両義確率統計の瞬時値により、現在時刻の時間領域の両義確率統計の平滑値及び／又は前記空間領域の両義確率統計の平滑値を得ることと、
前記時間領域の両義確率統計の平滑値が、時間領域の両義リスク閾値以上である場合、及び／または前記空間領域の両義確率統計の平滑値が、空間領域の両義リスク閾値以上である場合、基地局がフィードバックの両義リスクが存在すると確定することと、を含むことが好ましい。
【００１６】
前記フィードバックの両義を探索するステップは、
基地局がＵＥのフィードバック方式をバンディング方式に設定し、ＰＤＳＣＨのサブフレームのそれぞれに対してトラバーサルのスケジューリングをして、各サブフレームと各コードワードのＡＣＫ／ＮＡＣＫを得ることと、
各サブフレームと各コードワードのＡＣＫ／ＮＡＣＫにより、時間領域の両義を起こすサブフレーム、及び／又は空間領域の両義を起こすコードワードを確定することと、を含むことが好ましい。
【００１７】
前記ダウンリンク関連パラメータを調整するステップは、
基地局は、前記フィードバックの両義が空間領域の両義であると確定する場合、フィードバック方式を、バンディング方式に設定することを含む調整処理を含むことが好ましい。
【００１８】
前記ダウンリンク関連パラメータを調整するステップは、
基地局は、前記フィードバックの両義が時間領域と空間領域の両義であると確定する場合、フィードバック方式をバンディング方式または多重化方式に設定することを含む調整処理をし、前記設定したフィードバック方式により、ダウンリンクアダプティブ変調符号化ＡＭＣ及び／又はダウンリンクハイブリッド自動再送要求ＨＡＲＱ及び／又はＰＤＳＣＨの伝送モード切り替えＴＭ  Ｓｗｉｔｃｈ及び／又はダウンリンク各ＰＤＳＣＨサブフレームのターゲットＢＬＥＲを調整し、両義の確率を減少し、無効再送を減少して、伝送能率を高めることを含むことが好ましい。
【００１９】
前記フィードバックの両義を探索するステップは、
基地局がＵＥのフィードバックを多重化方式に設定し、サブフレームのスケジューリングをして、それぞれのサブフレームに対してシングルコードワードのスケジューリングをして、それぞれのサブフレームのＡＣＫ／ＮＡＣＫを得ることと、
それぞれのサブフレームのＡＣＫ／ＮＡＣＫにより、時間領域の両義を起こすサブフレームを確定することと、を含むことが好ましい。
【００２０】
ＵＥにＰＵＳＣＨリソースがある場合、基地局のスケジューリングサブフレームをする数が４以下で、そうでない場合、基地局のスケジューリングサブフレーム数が２以下であることが好ましい。
【００２１】
前記ダウンリンク関連パラメータを調整するステップは、
基地局が前記フィードバックの両義は時間領域の両義であると判定する場合、フィードバック方式を多重化方式に設定することを含む調整処理をすることが好ましい。
【００２２】
本発明のもう一方面によると、フィードバックの両義に基づき、ダウンリンク関連パラメータを調整する装置を提供する。基地局にある当該装置は、
ユーザ装置ＵＥから報告した正しい応答ＡＣＫ／間違い応答ＮＡＣＫ、及びチャネル品質指示情報ＣＱＩにより、フィードバックの両義を判定し、フィードバック両義の可能性があるか否かを確定する判定モジュールと、
前記判定モジュールによりフィードバック両義の可能性があると確定される場合、フィードバック方式、フィードバックチャネル、ダウンリンクにより受信した物理ダウンリンク共有チャネルＰＤＳＣＨサブフレーム数とコードワード数に対応する両義確率により、フィードバックの両義を統計し、フィードバック両義のリスクがあるか否かを確定する統計モジュールと、
前記統計モジュールによりフィードバック両義のリスクがあると確定される場合、ＵＥのＰＤＳＣＨシングルサブフレームまたはシングルコードワードのスケジューリングによりフィードバックの両義を探索し、フィードバックの両義が生じられたサブフレームまたはコードワードを確定する確定モジュール、及び
フィードバック両義の探索結果により、ダウンリンク関連パラメータを調整する調整モジュールと、を備えることが好ましい。
【００２３】
前記調整モジュールは、
前記フィードバックの両義は空間領域の両義であると確定する場合、フィードバック方式をバンディング方式に設定することを含む調整処理をするバンディング調整モジュール、及び／又は、
前記フィードバックの両義は時間領域の両義であると確定する場合、フィードバック方式を多重化方式に設定することを含む調整処理をする多重化調整モジュールと、を備えることが好ましい。
【００２４】
本発明の有益な技術効果は、フィードバック両義の真実の状況を取得することで、対応するＵＥに対してフィードバック両義の調整を行い、フィードバックの両義を回避、又は減少することで、無効再送を減少して、伝送能率を高め、ＰＤＳＣＨの性能を高めることができる。
【図面の簡単な説明】
【００２５】
【図１】関連技術に係わるＬＴＥ  ＴＤＤフレーム構造を示す図である。
【図２】関連技術に係わるＬＴＥ  ＴＤＤアップリンク／ダウンリンク比を示す図である。
【図３】関連技術に係わるＬＴＥ  ＴＤＤアップリンク／ダウンリンク比テーブルである。
【図４】関連技術に係わるＬＴＥ  ＴＤＤのダウンリンク関連コレクションインデックスK:｛k0, k1, ・・・kM-1｝テーブルを示す図である。
【図５】関連技術に係わるＬＴＥ  ＴＤＤ  ＰＤＳＣＨ  ＡＣＫ／ＮＡＣＫバンディングフィードバックを示す図である。
【図６】関連技術に係わるＬＴＥ  ＴＤＤ  ＰＤＳＣＨ  ＡＣＫ／ＮＡＣＫ多重化フィードバックを示す図である。
【図７】関連技術に係わるダウンリンクサブフレーム数Ｍ＝２の場合のＡＣＫ／ＮＡＣＫの多重化伝送のマッピング関係テーブルを示す図である。
【図８】関連技術に係わるＭ＝３の場合のＡＣＫ／ＮＡＣＫの多重化伝送のマッピング関係テーブルを示す図である。
【図９】関連技術に係わるＭ＝４の場合のＡＣＫ／ＮＡＣＫの多重化伝送のマッピング関係テーブルを示す図である。
【図１０】関連技術に係わるＭ＝４の場合に３つのサブフレームの時間領域両義を受信し、フィードバックすることを示す図である。
【図１１】関連技術に係わるＭ＝４の場合に４つのサブフレームの時間領域両義を受信し、フィードバックすることを示す図である。
【図１２】本発明の実施例に係わるフィードバックの両義に基づき、ダウンリンク関連パラメータを調整する方法のフローチャート図である。
【図１３】本発明の好適な実施例に係わるフィードバックの両義に基づき、ダウンリンク関連パラメータを調整するアルゴリズムのフローチャート図である。
【図１４】本発明の好適な実施例に係わるＭ＝４、且つ両義サブフレーム数Ｌ＝ｍ−１である場合、Ｂｕｎｄｉｎｇ＆ＰＵＣＣＨによりフィードバックした時間領域の両義確率テーブルを示す図である。
【図１５】本発明の好適な実施例に係わるＭ＝４、且つ両義サブフレーム数Ｌ＝ｍ−１である場合、Ｂｕｎｄｉｎｇ＆ＰＤＳＣＨによりフィードバックした時間領域の両義確率テーブルを示す図である。
【図１６】本発明の好適な実施例に係わるＭ＝４、且つ両義サブフレーム数Ｌ＝ｍ−２である場合、Ｍｕｌｔｉｐｌｅｘｉｎｇ＆ＰＵＣＣＨによりフィードバックした時間領域の両義確率テーブルを示す図である。
【図１７】本発明の好適な実施例に係わるＭ＝４、且つ両義コードワード数Ｊ＝ｋ−１である場合、Ｍｕｌｔｉｐｌｅｘｉｎｇ＆ＰＵＣＣＨによりフィードバックした空間領域の両義確率テーブルを示す図である。
【図１８】本発明の好適な実施例に係わるＭ＝４、且つ両義コードワード数Ｊ＝ｋ−１である場合、Ｍｕｌｔｉｐｌｅｘｉｎｇ＆ＰＤＳＣＨによりフィードバックした空間領域の両義確率テーブルを示す図である。
【図１９】本発明の実施例に係わるフィードバックの両義に基づき、ダウンリンク関連パラメータを調整する装置の構造ブロック図である。
【図２０】本発明の好適な実施例に係わるフィードバックの両義に基づき、ダウンリンク関連パラメータを調整する装置の構造ブロック図である。
【発明を実施するための形態】
【００２６】
以下、図面を結合して本発明の好適な実施例を詳しく説明する。なお、以下に説明する好適な実施例は本発明を説明し、解釈するもので、本発明を限定するものでない。
【００２７】
フィードバックの両義が存在するため、eＮＢに無効なダウンリンク再送が発生し、エアインターフェースの伝送能率の低下になり、大切な無線ネットワークリソースの無駄使いになる。また、現在、フィードバック方式の利用ストラテジーについて、ほとんど一部のチャネル自身のチャネル条件、リンク性能を出発点とし、フォワード推定で得られる結論で、乃至ただの推測に過ぎず、信頼性が足りない。本発明の実施例は逆分析により、フィードバックの両義に対して、奥深い識別をして、フィードバック両義の判定、フィードバック両義の統計、フィードバック両義の探索という三つのステップを通して、フィードバック両義の真実の状況を取得し、フィードバック両義の特性（時間領域両義と空間領域両義がある）を確定することで、対応するＵＥに対して、フィードバック方式の最適化、ＰＤＳＣＨのスケジューリングリソース（時間領域と空間領域、即ちサブフレームとコードワードがある）、ダウンリンクＡＭＣ（Ａｄａｐｔｉｖｅ  Ｍｏｄｕｌａｔｉｏｎ  Ｃｏｄｉｎｇ、アダプティブ変調符号化）、ダウンリンクＨＡＲＱ（Ｈｙｂｒｉｄ  Ａｕｔｏｍａｔｉｃ  Ｒｅｐｅａｔ  Ｒｅｑｕｅｓｔ、ハイブリッド自動再送要求）、ＰＤＳＣＨのＴＭ  Ｓｗｉｔｃｈ（Ｔｒａｎｓｆｅｒ  Ｍｏｄｅ  Ｓｗｉｔｃｈ、伝送モデル切り替え、シングル・ダブルコードワードの切り替えを含む）、ダウンリンク各ＰＤＳＣＨサブフレームのターゲットＢＬＥＲなどを含むフィードバック両義の調整を行う。以下、図１２〜図１８を通して詳しく説明する。
【００２８】
図１２は本発明の実施例に係わるフィードバックの両義に基づき、ダウンリンク関連パラメータを調整する方法のフローチャート図で、図１２に示すように以下のようなステップを含む。
ステップＳ１２０１について、基地局がＵＥから報告されたＡＣＫ／ＮＡＣＫとチャネル品質指示情報ＣＱＩによりフィードバックの両義判定を行い、フィードバック両義の可能性があるか否かを確定する。
【００２９】
前記フィードバックの両義は、
複数のダウンリンクサブフレームのＡＣＫ／ＮＡＣＫに対して論理ＡＮＤをしてから、ＮＡＣＫが得られたため、複数のダウンリンクサブフレームがすべて基地局にＮＡＣＫとされるようになる時間領域の両義と、
ダウンリンクサブフレームの複数のコードワードのＡＣＫ／ＮＡＣＫに対して論理ＡＮＤをしてから、ＮＡＣＫが得られたため、前記複数のコードワードの全てが基地局にＮＡＣＫとされるようになる空間領域の両義と、が含む。
【００３０】
基地局がＵＥから報告されたＡＣＫ／ＮＡＣＫにより、ブロック誤り率の統計ＢＬＥＲｓｔａｔｉｓｔｉｃｓが得られ、ＵＥから報告されたＣＱＩにより、前記ＣＱＩに対応する変調符号化方式ＭＣＳＣＱＩ＿Ｍａｐｐｉｎｇが得られる。前記ＢＬＥＲｓｔａｔｉｓｔｉｃｓが所定比率のターゲットブロック誤り率ＢＬＥＲＴａｒｇｅｔ以上であり、且つ前記ＭＣＳＣＱＩ＿Ｍａｐｐｉｎｇがダウンリンク認可変調符号化方式ＭＣＳＤＬ＿Ａｓｓｉｇｎｍｅｎｔと所定の偏差閾値との合計以上である場合、基地局がフィードバック両義の可能性があると確定する。
【００３１】
ステップＳ１２０２について、フィードバック両義の可能性がある場合、基地局がフィードバック方式、フィードバック情報、ダウンリンクにより受信した物理ダウンリンク共有チャネルＰＤＳＣＨサブフレーム数、及びコードワード数に対応する両義の確率により、フィードバックの両義を統計し、フィードバックの両義リスクが存在するか否かを確定する。
【００３２】
基地局がフィードバック方式とフィードバックチャネルにより、対応する両義の確率テーブルを得て、現在時刻の時間領域の両義確率統計の瞬時値及び／又は空間領域の両義確率統計の瞬時値を得て、前記時間領域の両義確率統計の瞬時値及び又は空間領域の両義確率統計の瞬時値により、現在時刻の時間領域の両義確率統計の平滑値及び／又は前記空間領域の両義確率統計の平滑値を計算する。前記時間領域の両義確率統計の平滑値が、時間領域の両義リスク閾値以上である場合、及び／または前記空間領域の両義確率統計の平滑値が、空間領域の両義リスク閾値以上である場合、基地局がフィードバックの両義リスクが存在すると確定する
【００３３】
ステップＳ１２０３について、フィードバック両義のリスクが存在する場合、基地局がＵＥのＰＤＳＣＨシングルサブフレームまたはシングルコードワードをスケジューリングすることでフィードバックの両義を探索し、フィードバックの両義があるサブフレームまたはコードワードを確定する。
【００３４】
基地局がＵＥのフィードバック方式をバンディング方式に設定し、ＰＤＳＣＨのサブフレームのそれぞれに対してトラバーサルのスケジューリングをして、各サブフレームと各コードワードのＡＣＫ／ＮＡＣＫを得て、各サブフレームと各コードワードのＡＣＫ／ＮＡＣＫにより、時間領域の両義を起こすサブフレーム、及び／又は空間領域の両義を起こすコードワードを確定する。
【００３５】
または、基地局がＵＥのフィードバック方式を多重化方式に設定し、サブフレームのスケジューリングをして、それぞれのサブフレームに対してシングルコードワードのスケジューリングをして、それぞれのサブフレームのＡＣＫ／ＮＡＣＫを得て、それぞれのサブフレームのＡＣＫ／ＮＡＣＫにより、時間領域の両義を起こすサブフレームを確定する。
【００３６】
フィードバック方式が多重化方式である場合、基地局が予めＵＥにＰＵＳＣＨリソースがあるか否かを把握するで、スケジューリングサブフレームのデータを確定する。ＵＥにＰＵＳＣＨリソースがある場合、基地局スケジューリングサブフレーム数が４以下で、そうでない場合、基地局スケジューリングサブフレーム数が２以下である。
【００３７】
ステップＳ１２０４について、基地局はフィードバックの両義に対する探索結果により、ダウンリンク関連パラメータを調整する。
【００３８】
基地局は、前記フィードバックの両義が空間領域の両義であると確定する場合、フィードバック方式を、バンディング方式に設定することを含む調整処理をする。
【００３９】
基地局が前記フィードバックの両義は時間領域の両義であると判定する場合、フィードバック方式を多重化方式に設定することを含む調整処理をする。
【００４０】
基地局は、前記フィードバックの両義が時間領域の両義と空間領域の両義であると確定する場合、フィードバック方式をバンディング方式または多重化方式に設定することを含む調整処理をし、前記設定したフィードバック方式により、ダウンリンクアダプティブ変調符号化ＡＭＣ及び／又はダウンリンクハイブリッド自動再送要求ＨＡＲＱ及び／又はＰＤＳＣＨの伝送モード切り替えＴＭ  Ｓｗｉｔｃｈ及び／又はダウンリンク各ＰＤＳＣＨサブフレームのターゲットＢＬＥＲを調整し、両義の確率を減少し、無効再送を減少して、伝送能率を高める。
【００４１】
図１３は本発明の好適な実施例に係わるフィードバックの両義に基づき、ダウンリンク関連パラメータを調整するアルゴリズムのフローチャート図で、図１３に示すように、以下のようなステップを含む。
【００４２】
一、フィードバックの両義の判定ステップについて
ステップＳ１３０１について、eＮＢがＵＥにより報告されたＡＣＫ／ＮＡＣＫにより統計ブロック誤り率ＢＬＥＲｓｔａｔｉｓｔｉｃｓを統計し、前記ＢＬＥＲｓｔａｔｉｓｔｉｃｓと所定比率のターゲットブロック誤り率ＢＬＥＲｔａｒｇｅｔを比較し、実際ダウンリンク認可されたＭＣＳＤＬ＿ＡｓｓｉｇｎｍｅｎｔとＵＥにより報告されたＣＱＩに対応するＭＣＳＣＱＩ＿Ｍａｐｐｉｎｇを比較する（前記ＭＣＳＤＬ_Ａｓｓｉｇｎｍｅｎｔと前記ＭＣＳＣＱＩ_Ｍａｐｐｉｎｇはコードワードが同じものでなければならなく、そうでないと、同じコードワードに変換してから比較をすることになる。）。
【００４３】
ステップＳ１３０２について、下記公式１と公式２を同時に満たす場合、フィードバック両義の可能性が存在すると判定し、フィードバック両義の統計を開始する。そうでないと、ステップＳ１３０１に戻る。
【００４４】
【数１】
0006038286.tif 000002
【００４５】
前記δは０より大きい比率閾値で、チャネル条件がよい場合、０．５未満に設定し、チャネル条件が悪い場合、０．５を超えるように設定することが推奨され、デフォルト設定は０．５である。前記ηは０より大きい偏差閾値で、３に設定することが推奨される。
【００４６】
二、フィードバック両義の統計ステップについて
ステップＳ１３０３について、フィードバック方式、フィードバックチャネル、ダウンリンク受信したＰＤＳＣＨサブフレーム数とコードワード数により、対応する両義確率テーブルを参照して、時間領域両義と空間領域両義の確率統計の平滑値をそれぞれ計算する。
【００４７】
フィードバックの両義に対して定量的統計をするために、本発明の実施例によると、両義確率。即ち、フィードバックにはＮＡＣＫであるが、実際にはＡＣＫである確率が定義されている。両義は、それぞれサブフレームの両義とコードワードの両義に対応する時間領域の両義と空間領域の両義がある。図１４〜１８に示す両義確率は、Ｍ＝４（アップリンク／ダウンリンク比が２と４である）に基づき、上記説明を結合して、デフォルトＡＣＫとＮＡＣＫの確率が均等である場合、推定され、それぞれの両義サブフレームに換算された時間領域両義確率、またはそれぞれのコードワードにおける空間領域両義の確率である。例えば、図１０と図１１により、図１６に示すテーブルが推定される。具体的には、図１０はＭ＝４の場合、スケジューリングして、ＰＵＣＣＨ（２ｂｉｔ）を通してＭｕｌｔｉｐｌｅｘｉｎｇ方式で３つのサブフレームをフィードバックする場面で、ｂ（０）、ｂ（１）の４つの組み合わせ（１０,０１,１１,００）はいずれも２つの区別できないフィードバック結果に対応し、それらの区別は、一つのサブフレームの結果はＡＣＫとＮＡＣＫ／ＤＴＸの２種類の可能性があるため、両義サブフレームが１、両義確率が０．５（即ち、ＡＣＫまたはＮＡＣＫ／ＤＴＸの可能性が均等）である。ｍ＝４、確率が１／３の場合について、図１１から推定することができる。その他のグラフの推定もこれに類似するので、ここで繰り返して説明しない。
【００４８】
フィードバック確率はフィードバック方式、フィードバックチャネルによって異なるため、フィードバック両義を統計する式３〜式６においても、フィードバック方式、フィードバック情報により、それぞれの両義確率テーブルを参照して、時間領域両義と空間領域両義とをそれぞれ統計しなければならない。
【００４９】
【数２】
0006038286.tif 000003
【００５０】
前記ＰＳＦは時間領域の両義確率、前記Ｌは両義サブフレーム数、前記ｍｉｓ_ｉ（ｎ）は現在時刻ｎにおける時間領域両義確率の統計瞬時値、前記ＭＩＳ_Ｔ（ｎ）は現在時刻ｎにおける時間領域両義確率の統計平滑値、前記αは平滑因子で、推奨デフォルト値は０．５で、延期ＰＣｗは空間領域両義確率、前記ＭＩＳ_Ｓ（ｎ）は現在時刻ｎにおける空間領域両義確率の統計平滑値である。
【００５１】
ステップＳ１３０４について、時間領域両義確率の統計平滑及び／又は空間領域両義確率の統計平滑値が設定した閾値を超える、即ち式７及び／又式８に満足する場合、フィードバック両義リスクが存在すると判定し、フィードバック両義の探索をすることなり、それに応じて、フィードバック両義統計が停止しクリアする。そうでないと、ステップＳ１３０１に戻る。
【００５２】
【数３】
0006038286.tif 000004
【００５３】
前記λTは設定された時間領域両義リスクの閾値で、前記λSは設定した空間領域両義リスクの閾値で、図１４〜１８に基づき、デフォルト閾値はいずれも１であると推奨するが、実際の応用において、最適化調整することができる。
【００５４】
三、フィードバック両義を探索するステップについて
ステップＳ１３０５について、フィードバック両義を探索することは以下のような三種類の探索方式を採用することができる。
【００５５】
方式一について、
フィードバック方式をＢｕｎｄｉｎｇに設定し、ＰＤＳＣＨシングルサブフレームのスケジューリングを採用し、各ダウンリンクサブフレームに対してトラバーサルのスケジューリングをする。即ち、Ｂｕｎｄｉｎｇとサブフレームごとのスケジューリングを採用する場合、eＮＢはそれぞれのサブフレーム、それぞれのコードワードの真実ＡＣＫ／ＮＡＣＫを取得でき、今までのeＮＢが受信したのはいつもＮＡＣＫであったら、フィードバック両義に対する探索を通して、ＮＡＣＫであるのはその中の１つのサブフレームまたは１つのコードワードに過ぎず、他は全部ＡＣＫであることを把握した場合、前記サブフレームまたはコードワードのＮＡＣＫが論理ＡＮＤにより、他のサブフレーム又はコードワードのＡＣＫをすべてＮＡＣＫにしたことが分かる。このような方式によると、コードワード数や、チャネル条件と信号の信号対雑音比を変更せずに、時間領域の両義と空間領域の両義を同時に定義することができるので、最も簡単で信頼性が高い。
【００５６】
方式二について、
フィードバック方式をＭｕｌｔｉｐｌｅｘｉｎｇに設定し、シングルコードワードのスケジューリングを採用し、全てのＵＥがＰＵＳＣＨによりフィードバックすることを確保できない場合、スケジューリングサブフレーム数は２未満にして、これにより、時間領域の両義を正確にポジショニングできるが、もともとダブルコードワードに適合するチャネル条件が強制的にシングルコードワードにされたら、信号の信号対雑音比が変更（強化）され、探索結果の信頼性が低くなる。
【００５７】
方式三について、
フィードバック方式をＭｕｌｔｉｐｌｅｘｉｎｇに設定し、シングルコードワードを採用するとともにアップリンクスケジューリングによりＵＥがＰＵＳＣＨでフィードバックするように確保する。このような方式によると、時間領域の両義を早くポジショニングすることができるが、もともとダブルコードワードに適合するチャネル条件が強制的にシングルコードワードにされたら、信号の信号対雑音比が変更（強化）され、探索結果の信頼性が低くなるとともに、オーバーヘッドが多い（ＰＵＳＣＨが必要とされる）。
【００５８】
フィードバック両義の探索により、ＵＥのどのサブフレームまたはどのコードワードに両義がある（実はＡＣＫであるのにフィードバックにＮＡＣＫと判定される）、または大きな両義確率があるかを明確にすることができる。
【００５９】
ステップＳ１３０６について、上述した何れかの方式により、フィードバックの両義があるか否かを確定し、フィードバックの両義があると判定する場合、フィードバック両義の調整をする。そうでない場合、ステップＳ１３０１に戻る。
【００６０】
四、フィードバック両義を調整するステップについて
フィードバック両義の探索により、フィードバック両義があるＵＥを確定し、フィードバック両義の時間領域または空間領域の特性により、フィードバック方式の最適化、スケジューリングリソース（時間領域と空間領域、即ちサブフレームとコードワードがある）、ダウンリンクＡＭＣ、ダウンリンクＨＡＲＱ、ＴＭ  Ｓｗｉｔｃｈ、及びダウンリンク各ＰＤＳＣＨサブフレームのターゲットＢＬＥＲなどを含むダウンリンク関連パラメータの調整をする。例えば、
【００６１】
１、ＵＥのフィードバック両義は空間領域の両義である場合、フィードバック方式をＢｕｎｄｉｎｇに設定することが推奨される。即ち、いずれかのコードワードのＢＬＥＲだけが高く、そのＮＡＣＫの比率が他のコードワードよりずっと高い場合、当該空間領域両義の特性により、フィードバック方式をＢｕｎｄｉｎｇに修正することができる。
【００６２】
２、ＵＥのフィードバック両義は時間領域の両義である場合、フィードバック方式は、Ｍｕｌｔｉｐｌｅｘｉｎｇに設定することが推奨される。即ち、あるサブフレームのＢＬＥＲだけが高く、そのＮＡＣＫの比率は他のサブフレームよりずっと高い場合、当該時間領域両義の特性に対して、フィードバック方式をＭｕｌｔｉｐｌｅｘｉｎｇに修正することができるとともに、ダウンリンクＡＭＣによりこのサブフレームのＭＣＳを降下させることや、このサブフレームのターゲットＢＬＥＲを降下することでＭＣＳを降下させること、ＴＭ  Ｓｗｉｔｃｈによりこのサブフレームをダブルコードワードからシングルコードワードに修正する（信号対雑音比を高め、ＮＡＣＫの比率を減少する）ことができる。
【００６３】
３、ＵＥのフィードバック両義は時間領域の両義も空間領域の両義もある場合、フィードバック方式をＢｕｎｄｉｎｇに設定してもよいし、Ｍｕｌｔｉｐｌｅｘｉｎｇに設定してもよいが、ただし、他の最適化措置を結合する必要がある。例えば、Ｂｕｎｄｉｎｇに設定する場合、時間領域に対して最適化処理をする必要があり、ＢＬＥＲが高いサブフレームに対して、フィードバック両義が回避されるようにスケジューリングをしない、またはフィードバック両義を減少させるように、スケジューリングを減少する。または、ＭＣＳを降下させ、さらに両義確率を減少させるようにターゲットＢＬＥＲを降下させる。または、ＴＭ  Ｓｗｉｔｃｈにより前記サブフレームをシングルコードワードを強制的に切り替え、ＳＮＲを高め、さらに両義の確率を減少する。Ｍｕｌｔｉｐｌｅｘｉｎｇに設定する場合、ＳＮＲを高め両義の確率を減少させるようにＢＬＥＲが最も高いコードワードに対してスケジューリングをしない（即ち強制的にシングルコードワードにする）、またはＭＣＳを降下して両義の確率を減少させるようにターゲットＢＬＥＲを降下するというように、空間領域と時間領域に対して最適化処理をする必要がある。また、ＵＥにＤＣＩ０スケジューリング（即ち認可ＰＵＳＣＨリソース）が存在するか否かを予め把握することによりスケジューリングサブフレーム数を制限するか否かを決定し、ＵＥにＰＵＳＣＨリソースがない場合、そのフィードバックはＰＵＣＣＨにしかないので、フィードバック両義が回避されるように、スケジューリングサブフレーム数を２を超えないように制限する（ＢＬＥＲが最も小さいサブフレームを２つ選択してスケジューリングすることを推奨）必要がある。ＵＥにＰＵＳＣＨリソースがある場合、最大４つのダウンリンクサブフレームをスケジューリングすることができる。
【００６４】
フィードバック両義の調整が終了してから、再びフィードバック両義の判定を行うステップをＳ１３０１に進めることになるが、短時間でピンポン式のフィードバック両義調整があまり頻繁的に行うことを回避するために、今回のフィードバック両義調整の終了後に、フィードバック両義の判定、又はフィードバック両義の統計における関連閾値を高め、次のステップに進めにくいようにすることができる。または、タイマーを配置して、今回のフィードバック両義調整の終了後、当該タイマーを起動させ、タイマーがタイムアウトになってから初めて再度フィードバック両義の判定をするステップＳ１３０１に進めるようにしてもよい。
【００６５】
本発明の実施例によると、フィードバック両義に基づきダウンリンク関連パラメータを調整する装置も提供する。図１９は本発明の実施例に係わるフィードバック両義に基づき、ダウンリンク関連パラメータを調整する装置の構造ブロック図である。図１９に示すように、基地局にある当該装置は、ユーザ装置ＵＥから報告した正しい応答ＡＣＫ／間違い応答ＮＡＣＫ、及びチャネル品質指示情報ＣＱＩにより、フィードバックの両義を判定し、フィードバック両義の可能性があるか否かを確定する判定モジュール１９２と、判定モジュール１９２にカップリングし、判定モジュール１９２によりフィードバック両義の可能性があると確定される場合、フィードバック方式、フィードバックチャネル、ダウンリンクにより受信した物理ダウンリンク共有チャネルＰＤＳＣＨサブフレーム数とコードワード数に対応する両義確率により、フィードバックの両義を統計し、フィードバック両義のリスクがあるか否かを確定する統計モジュール１９４と、統計モジュール１９４にカップリングし、統計モジュール１９４によりフィードバック両義のリスクがあると確定される場合、ＵＥのＰＤＳＣＨシングルサブフレームまたはシングルコードワードのスケジューリングによりフィードバックの両義を探索し、フィードバックの両義が生じられたサブフレームまたはコードワードを確定する確定モジュール１９６、及び確定モジュール１９６にカップリングし、フィードバック両義の探索結果により、ダウンリンク関連パラメータを調整する調整モジュール１９８と、を備える。
【００６６】
図２０は、本発明の好適な実施例に係わるフィードバック両義に基づき、ダウンリンク関連パラメータを調整する装置の構造ブロック図である。図２０に示すように、調整モジュール１９８は、フィードバック両義は空間領域の両義であると確定する場合、フィードバック方式をバンディング方式に設定することを含む調整処理をするバンディング調整モジュール１９８２、及び／又は、フィードバック両義は時間領域の両義であると確定する場合、フィードバック方式を多重化方式に設定することを含む調整処理をする多重化調整モジュール１９８４とを含む。
【００６７】
以上のように、本発明の実施例は、四代目移動通信ＬＴＥ  ＴＤＤにおけるＰＤＳＣＨのＡＣＫ／ＮＡＣＫの、ＢｕｎｄｉｎｇとＭｕｌｔｉｐｌｅｘｉｎｇという２種類のフィードバック方式の性能の比較や改良に関し、フィードバック両義の判定、フィードバック両義の統計、フィードバック両義の探索、及びフィードバック両義の調整という四つのステップにより、簡単なものから複雑なものへと、ステップごとで確実に実行され、段階的に深化して、必要でない限り、eＮＢの既存システムのアルゴリズムの実現や、ＵＥの既存サービスに衝突がないよう、最も小さい代価で、フィードバック両義を正確に発見し、合理的に回避、又は減少することで、無効な再送を減少し、伝送能率を高め、ＰＤＳＣＨの性能を向上させている。
【００６８】
以上は本発明に対して詳細な説明をしたが、本発明はこれに限らない。当業者であれば、本発明の原理により様々な変更をすることができる。従って、本発明の原理に基づいたいずれの変更でも本発明の保護範囲に含まれるものとする。
【符号の説明】
【００６９】
１９２  判定モジュール
１９４  統計モジュール
１９６  確定モジュール
１９８  調整モジュール
１９８２  バンディング調整モジュール
１９８４  多重化調整モジュール
【図１】
0006038286.tif 000005
【図２】
0006038286.tif 000006
【図３】
0006038286.tif 000007
【図４】
0006038286.tif 000008
【図５】
0006038286.tif 000009
【図６】
0006038286.tif 000010
【図７】
0006038286.tif 000011
【図８】
0006038286.tif 000012
【図９】
0006038286.tif 000013
【図１０】
0006038286.tif 000014
【図１１】
0006038286.tif 000015
【図１２】
0006038286.tif 000016
【図１３】
0006038286.tif 000017
【図１４】
0006038286.tif 000018
【図１５】
0006038286.tif 000019
【図１６】
0006038286.tif 000020
【図１７】
0006038286.tif 000021
【図１８】
0006038286.tif 000022
【図１９】
0006038286.tif 000023
【図２０】
0006038286.tif 000024